(57)【要約】【課題】洗浄機器から吐水される洗浄水の水圧の低下を抑制することができる浴室システムを提供することを目的とする。【解決手段】給水源からの洗浄水を吐水する第１洗浄機器と、給水源からの洗浄水を吐水する第２洗浄機器と、第１及び第２洗浄機器を制御する制御部と、を備え、第１洗浄機器は、洗浄水を吐水する第１吐水口と、第１吐水口へ供給される洗浄水の流量を制御する第１制御弁と、を有し、第２洗浄機器は、洗浄水を吐水する第２吐水口と、第２吐水口へ供給される洗浄水の流量を制御する第２制御弁と、を有し、制御部は、第１及び第２洗浄機器が吐水を行っているときは、第１及び第２洗浄機器から吐水される洗浄水の流量の合計が所定値以下となるように、第１及び第２制御弁の一方を制御することを特徴とする浴室システムが提供される。【選択図】図３
2019154723.tif 000002
【特許請求の範囲】
【請求項１】
給水源からの洗浄水を吐水することで浴室の第１所定範囲を洗浄する第１洗浄機器と、
前記給水源からの洗浄水を吐水することで前記浴室の第２所定範囲を洗浄する第２洗浄機器と、
前記第１洗浄機器と前記第２洗浄機器とを制御する制御部と、
を備え、
前記第１洗浄機器は、
洗浄水を吐水する第１吐水口と、
前記給水源から前記第１吐水口へ供給される洗浄水の流量を制御する第１制御弁と、
を有し、
前記第２洗浄機器は、
洗浄水を吐水する第２吐水口と、
前記給水源から前記第２吐水口へ供給される洗浄水の流量を制御する第２制御弁と、
を有し、
前記制御部は、前記第１洗浄機器及び前記第２洗浄機器が吐水を行っているときは、前記第１洗浄機器から吐水される洗浄水の流量と、前記第２洗浄機器から吐水される洗浄水の流量と、の合計が所定値以下となるように、前記第１制御弁及び前記第２制御弁の少なくとも一方を制御することを特徴とする浴室システム。
【請求項２】
前記第１洗浄機器及び前記第２洗浄機器のそれぞれの１回の吐水動作は、
前記吐水動作の開始時刻と終了時刻との中心の時刻を含む中期と、
前記中期より前の初期と、
前記中期より後の後期と、
を有し、
前記第１洗浄機器の前記吐水動作の前記後期は、前記第２洗浄機器の前記吐水動作の前記初期と重なり、前記第２洗浄機器の前記吐水動作の前記中期と重ならず、
前記第１洗浄機器の前記吐水動作の前記中期は、前記第２洗浄機器の前記吐水動作の前記初期と重ならないことを特徴とする請求項１記載の浴室システム。
【請求項３】
前記制御部は、前記第１洗浄機器が吐水を行っている間においては、前記第２制御弁を閉とし、前記第２洗浄機器が吐水を行っている間においては、前記第１制御弁を閉とすることを特徴とする請求項１記載の浴室システム。
【請求項４】
前記制御部は、前記第１洗浄機器の吐水動作と、前記第２洗浄機器の吐水動作と、を連動させる連動モードを有し、
前記連動モードは、前記第１所定範囲の排水中に前記第２所定範囲への吐水を行い、前記第２所定範囲の排水中に前記第１所定範囲への吐水を行うことを特徴とする請求項１〜３のいずれか１つに記載の浴室システム。
【請求項５】
前記第１洗浄機器を作動させる第１スイッチと、
前記第２洗浄機器を作動させる第２スイッチと、
を有する操作部をさらに備え、
前記制御部は、
前記第１スイッチ及び前記第２スイッチの一方が操作されてから所定時間以内に、前記第１スイッチ及び前記第２スイッチの他方が操作されると、前記連動モードを実行し、
前記連動モードの実行中に、前記第１洗浄機器及び前記第２洗浄機器の一方が吐水を行っているときは、前記第１洗浄機器から吐水される洗浄水の前記流量と、前記第２洗浄機器から吐水される洗浄水の前記流量と、の合計が前記所定値以下となるように、前記第１制御弁及び前記第２制御弁の少なくとも一方を制御することを特徴とする請求項４記載の浴室システム。
【請求項６】
前記第１洗浄機器を作動させる第１スイッチと、
前記第２洗浄機器を作動させる第２スイッチと、
を有する操作部をさらに備え、
前記制御部は、
前記第１スイッチ及び前記第２スイッチの一方が操作されてから所定時間経過後に、前記第１スイッチ及び前記第２スイッチの他方が操作された場合は、前記連動モードを実行せず、
前記連動モードの非実行中に、前記第１洗浄機器及び前記第２洗浄機器の一方が吐水を行っているときは、前記第１洗浄機器から吐水される洗浄水の前記流量と、前記第２洗浄機器から吐水される洗浄水の前記流量と、の合計が前記所定値以下となるように、前記第１制御弁及び前記第２制御弁の少なくとも一方を制御することを特徴とする請求項４記載の浴室システム。
【発明の詳細な説明】
【技術分野】
【０００１】
本発明の態様は、一般的に、浴室システムに関する。
【背景技術】
【０００２】
浴室には、浴室の床（洗い場の床等）や壁を洗浄する洗浄機器や、浴室内に設けられた浴槽を洗浄する洗浄機器などを有する浴室システムが設けられることがある。例えば、特許文献１には、浴室の洗い場床に洗浄水を吐水して、洗い場近傍の汚れを洗浄する浴室洗浄装置が開示されている。また、特許文献２には、浴槽内に設けられたノズルから洗剤液や湯又は水を噴射することにより浴槽洗浄を行う浴槽自動洗浄システムが開示されている。また、特許文献３には、浴槽と洗い場とに洗剤や水を散布して、浴槽と洗い場とを洗浄する洗浄装置が開示されている。
【先行技術文献】
【特許文献】
【０００３】
【特許文献１】特許第４０３５６６２号公報
【特許文献２】特開２００９−１６８２９４号公報
【特許文献３】特開２０１０−１１９５３０号公報
【発明の概要】
【発明が解決しようとする課題】
【０００４】
浴室に２つ（以上）の洗浄機器が設けられ、これらの洗浄機器が互いに連動しない場合、使用者によって２つの洗浄機器が同時に駆動されると、両方の洗浄機器から同時に吐水が行われることがある。この際、複数の洗浄機器が、同一の給水源（水道管等）から給水されていると、一方又は両方の洗浄機器から吐水される洗浄水の水圧や流量が低下する恐れがある。また、２つの洗浄機器が連動する場合であっても、両方の洗浄機器から同時に吐水が行われると、一方又は両方の洗浄機器から吐水される洗浄水の水圧や流量が低下する恐れがある。
【０００５】
洗浄水の水圧が低下すると、洗浄機器の洗浄性能が低下することがある。例えば、洗浄水の水圧が低下すると、洗浄機器から吐水される洗浄水の飛距離が短くなり、所定の範囲に吐水が行えない恐れがある。また、例えば、洗浄水の水圧が低下すると、浴室内の汚れを洗浄水によって押し流すことが困難になる恐れがある。
【０００６】
本発明は、かかる課題の認識に基づいてなされたものであり、洗浄機器から吐水される洗浄水の水圧の低下を抑制することができる浴室システムを提供することを目的とする。
【課題を解決するための手段】
【０００７】
第１の発明は、給水源からの洗浄水を吐水することで浴室の第１所定範囲を洗浄する第１洗浄機器と、前記給水源からの洗浄水を吐水することで前記浴室の第２所定範囲を洗浄する第２洗浄機器と、前記第１洗浄機器と前記第２洗浄機器とを制御する制御部と、を備え、前記第１洗浄機器は、洗浄水を吐水する第１吐水口と、前記給水源から前記第１吐水口へ供給される洗浄水の流量を制御する第１制御弁と、を有し、前記第２洗浄機器は、洗浄水を吐水する第２吐水口と、前記給水源から前記第２吐水口へ供給される洗浄水の流量を制御する第２制御弁と、を有し、前記制御部は、前記第１洗浄機器及び前記第２洗浄機器が吐水を行っているときは、前記第１洗浄機器から吐水される洗浄水の流量と、前記第２洗浄機器から吐水される洗浄水の流量と、の合計が所定値以下となるように、前記第１制御弁及び前記第２制御弁の少なくとも一方を制御することを特徴とする浴室システムである。
【０００８】
この浴室システムによれば、第１洗浄機器及び第２洗浄機器が吐水を行っているときに、第１洗浄機器及び第２洗浄機器の総流量を所定値以下とすることにより、第１洗浄機器及び第２洗浄機器の一方又は両方から吐水される洗浄水の水圧が低下することを抑制でき、適切な洗浄性能を維持することができる。
【０００９】
第２の発明は、第１の発明において、前記第１洗浄機器及び前記第２洗浄機器のそれぞれの１回の吐水動作は、前記吐水動作の開始時刻と終了時刻との中心の時刻を含む中期と、前記中期より前の初期と、前記中期より後の後期と、を有し、前記第１洗浄機器の前記吐水動作の前記後期は、前記第２洗浄機器の前記吐水動作の前記初期と重なり、前記第２洗浄機器の前記吐水動作の前記中期と重ならず、前記第１洗浄機器の前記吐水動作の前記中期は、前記第２洗浄機器の前記吐水動作の前記初期と重ならないことを特徴とする浴室システムである。
【００１０】
この浴室システムによれば、一方の洗浄機器の吐水動作の中期は、他方の洗浄機器の吐水動作と重ならない。これにより、各洗浄機器の吐水動作の中期において、洗浄水の水圧が低下することを抑制することができる。また、一方の洗浄機器の吐水動作の後期と、他方の洗浄機器の吐水動作の初期と、が重なることにより、全体の洗浄時間を短縮することができる。したがって、中期において洗浄性能を維持しつつ、全体の洗浄時間を短縮することができる。
【００１１】
第３の発明は、第１の発明において、前記制御部は、前記第１洗浄機器が吐水を行っている間においては、前記第２制御弁を閉とし、前記第２洗浄機器が吐水を行っている間においては、前記第１制御弁を閉とすることを特徴とする浴室システムである。
【００１２】
この浴室システムによれば、一方の洗浄機器が吐水を行っているときは、他方の洗浄機器への給水が停止される。これにより、一方の洗浄機器から吐水される洗浄水の水圧が低下することをより確実に抑制することができる。２つの洗浄機器を連動させた場合においても、洗浄性能を維持することができる。
【００１３】
第４の発明は、第１〜第３のいずれか１つの発明において、前記制御部は、前記第１洗浄機器の吐水動作と、前記第２洗浄機器の吐水動作と、を連動させる連動モードを有し、前記連動モードは、前記第１所定範囲の排水中に前記第２所定範囲への吐水を行い、前記第２所定範囲の排水中に前記第１所定範囲への吐水を行うことを特徴とする浴室システムである。
【００１４】
この浴室システムによれば、第１洗浄機器の吐水動作と、第２洗浄機器の吐水動作と、が連動することにより、全体の洗浄時間を短縮することができる。
【００１５】
第５の発明は、第４の発明において、前記第１洗浄機器を作動させる第１スイッチと、前記第２洗浄機器を作動させる第２スイッチと、を有する操作部をさらに備え、前記制御部は、前記第１スイッチ及び前記第２スイッチの一方が操作されてから所定時間以内に、前記第１スイッチ及び前記第２スイッチの他方が操作されると、前記連動モードを実行し、前記連動モードの実行中に、前記第１洗浄機器及び前記第２洗浄機器の一方が吐水を行っているときは、前記第１洗浄機器から吐水される洗浄水の前記流量と、前記第２洗浄機器から吐水される洗浄水の前記流量と、の合計が前記所定値以下となるように、前記第１制御弁及び前記第２制御弁の少なくとも一方を制御することを特徴とする浴室システムである。
【００１６】
この浴室システムによれば、使用者が第１スイッチ及び第２スイッチを別々に操作した場合であっても、制御部は、連動モードを実行し、第１洗浄機器及び第２洗浄機器の一方が吐水を行っているときに、第１洗浄機器及び第２洗浄機器の総流量を所定値以下とする。これにより、第１洗浄機器及び第２洗浄機器の一方から吐水される洗浄水の水圧が低下することを抑制でき、洗浄性能を維持することができる。
【００１７】
第６の発明は、第４の発明において、前記第１洗浄機器を作動させる第１スイッチと、前記第２洗浄機器を作動させる第２スイッチと、を有する操作部をさらに備え、前記制御部は、前記第１スイッチ及び前記第２スイッチの一方が操作されてから所定時間経過後に、前記第１スイッチ及び前記第２スイッチの他方が操作された場合は、前記連動モードを実行せず、前記連動モードの非実行中に、前記第１洗浄機器及び前記第２洗浄機器の一方が吐水を行っているときは、前記第１洗浄機器から吐水される洗浄水の前記流量と、前記第２洗浄機器から吐水される洗浄水の前記流量と、の合計が前記所定値以下となるように、前記第１制御弁及び前記第２制御弁の少なくとも一方を制御することを特徴とする浴室システムである。
【００１８】
この浴室システムによれば、制御部は、連動モードを実行しない場合であっても、第１洗浄機器及び第２洗浄機器の一方が吐水を行っているときに、第１洗浄機器及び第２洗浄機器の総流量を所定値以下とする。これにより、第１洗浄機器及び第２洗浄機器の一方から吐水される洗浄水の水圧が低下することを抑制でき、洗浄性能を維持することができる。
【発明の効果】
【００１９】
本発明の態様によれば、洗浄機器から吐水される洗浄水の水圧の低下を抑制することができる浴室システムが提供される。
【図面の簡単な説明】
【００２０】
【図１】実施形態に係る浴室システムを有する浴室を例示する斜視図である。
【図２】実施形態に係る浴室システムを例示するブロック図である。
【図３】実施形態に係る浴室システムの動作を例示するフローチャートである。
【図４】図４（ａ）〜図４（ｄ）は、実施形態に係る浴室システムの動作を例示するタイミングチャートである。
【図５】図５（ａ）〜図５（ｃ）は、実施形態に係る浴室システムの動作を例示するタイミングチャートである。
【図６】実施形態に係る浴室システムの動作を例示するフローチャートである。
【図７】実施形態に係る浴室システムの洗浄機器を例示する模式図である。
【図８】実施形態に係る浴室システムの浴槽洗浄機器を例示する模式図である。
【図９】実施形態に係る浴室システムの操作部を例示する斜視図である。
【図１０】図１０（ａ）及び図１０（ｂ）は、実施形態に係る浴室システムの第２洗浄機器の動作を例示するタイミングチャートである。
【図１１】図１１（ａ）及び図１１（ｂ）は、実施形態に係る浴室システムの第１洗浄機器の動作を例示するタイミングチャートである。
【図１２】図１２（ａ）〜図１２（ｃ）は、実施形態に係る浴室システムの動作を例示するタイミングチャートである。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、実施形態に係る浴室システムを有する浴室を例示する斜視図である。  
図１は、実施形態に係る浴室システム１００（図２を参照）が設置される浴室の一例を示している。  
図１に示すように、浴室５００は、概ね直方体の４つの側面に相当する配置の第１壁５４１、第２壁５４２、第３壁５４３、第４壁５４４を有する。第２壁５４２は、第１壁５４１と対向しており、第４壁５４４は、第３壁５４３と対向している。第１壁５４１と第２壁５４２とは、それぞれ、第３壁５４３及び第４壁５４４と接続されている。
【００２２】
説明の便宜上、本明細書において、第２壁５４２（図１の奥側の壁）から第１壁５４１（図１の手前側の壁）へ向かう方向を「前方」とし、これと反対の方向を「後方」とする。また、前後方向および上下方向に対して垂直な方向を横方向とする。
【００２３】
第４壁５４４の側に浴槽５１０が設けられており、当該浴槽５１０と第３壁５４３との間に洗い場床５２０（浴室洗い場床）が設けられている。すなわち、浴槽５１０と洗い場床５２０とは、共に前後方向に延びて、横方向に並んでいる。洗い場床５２０は、第３壁５４３に加えて、第１壁５４１の一部及び第２壁５４２の一部にも接している。
【００２４】
洗い場床５２０には、排水口５２１が設けられている。排水口５２１は、洗い場床５２０の前後方向における中央付近であって、洗い場床５２０の横方向における浴槽５１０側の端に設けられている。洗い場床５２０には、排水口５２１へ向かう緩やかな（例えば１〜５°程度の）排水勾配（傾斜）が設けられている。また、洗い場床５２０の表面は、親水コーティングされている。
【００２５】
そして、洗い場床５２０が接している第２壁５４２の一部に（浴室５００の後方側に）、カウンタ５３０が設けられている。浴室５００の第２壁５４２には、鏡、給水栓、シャワーホースなどが適宜設けられている。
【００２６】
図２は、実施形態に係る浴室システムを例示するブロック図である。  
図２に示すように、浴室システム１００は、第１洗浄機器７０と、第２洗浄機器８０と、制御部３０と、を有する。
【００２７】
第１洗浄機器７０及び第２洗浄機器８０は、それぞれ、浴室５００内に設けられる。第１洗浄機器７０及び第２洗浄機器８０のそれぞれには、給水源５０（水道管など）から洗浄水が供給される。給水源５０の下流側の流路は、第１洗浄機器７０（吐水口７１）に洗浄水を導く流路７５と、第２洗浄機器８０（吐水口８１）に洗浄水を供給する流路８５と、に分岐している。
【００２８】
第１洗浄機器７０は、洗浄水を吐水する吐水口７１（第１吐水口）と、第１制御弁７３と、を有する。第１制御弁７３は、例えば、流路７５の流量を調整する流量調整弁である。流量調整弁は、流路の面積（流路の開度、又は流路の絞り）を調整することで、当該流路の流量を調整する。第１制御弁７３は、流路７５を開閉する電磁弁でもよい。第１制御弁７３によって、給水源５０から吐水口７１に供給される洗浄水の流量、すなわち吐水口７１から吐水される洗浄水の流量を制御することができる。
【００２９】
第１洗浄機器７０は、給水源５０から供給された洗浄水を浴室５００の第１所定範囲に吐水する。これにより、第１洗浄機器７０は、第１所定範囲を洗浄する。この例では、第１洗浄機器７０は、浴室５００の洗い場床５２０、及び壁（第１〜第４壁５４１〜５４４）の少なくとも一部を洗浄する浴室洗浄機器である。つまり、この場合、第１所定範囲は、洗い場床５２０、及び壁（第１〜第４壁５４１〜５４４）の少なくとも一部である。なお、図１に示した例では、第１洗浄機器７０は、カウンタ５３０に設けられ、洗い場床５２０を洗浄する洗浄機器（床洗浄装置）である。
【００３０】
第２洗浄機器８０は、洗浄水を吐水する吐水口８１（第２吐水口）と、第２制御弁８３（第２制御弁）と、を有する。第２制御弁８３は、例えば、流路８５の流量を調整する流量調整弁である。第２制御弁８３は、流路８５を開閉する電磁弁でもよい。第２制御弁８３によって、給水源５０から吐水口８１に供給される洗浄水の流量、すなわち吐水口８１から吐水される洗浄水の流量を制御することができる。
【００３１】
第２洗浄機器８０は、給水源５０から供給された洗浄水を、浴室５００の第２所定範囲に吐水する。これにより、第２洗浄機器８０は、第２所定範囲を洗浄する。例えば、第２所定範囲は、第１所定範囲と異なる。この例では、第２洗浄機器８０は、浴槽５１０を洗浄する浴槽洗浄装置である。つまり、この場合、第２所定範囲は、浴槽５１０内の少なくとも一部である。なお、第１洗浄機器７０が浴槽洗浄機器であってもよいし、第２洗浄機器８０が浴室洗浄機器であってもよい。
【００３２】
制御部３０は、例えばマイコンなどを有する電気回路である。制御部３０は、第１洗浄機器７０の第１制御弁７３、及び第２洗浄機器８０の第２制御弁８３のそれぞれと接続されている。制御部３０と第１洗浄機器７０との接続、制御部３０と第２洗浄機器８０との接続は、有線接続であっても無線接続であってもよい。第１洗浄機器（第１制御弁７３）及び第２洗浄機器８０（第２制御弁８３）のそれぞれは、制御部３０から送信された信号（指令）に基づいて動作する。これにより、制御部３０は、第１洗浄機器７０の洗浄動作、及び、第２洗浄機器８０の洗浄動作を制御する。図１に示した例では、制御部３０は、浴室５００の天井５４５に設置されている。ただし、制御部３０の配置は任意である。また、制御部３０は、複数の基板などに適宜分割されて配置されてもよい。例えば、制御部３０の一部が第１洗浄機器７０に配置されたり、第２洗浄機器８０に配置されたりしてもよい。
【００３３】
また、浴室システム１００は、使用者が第１洗浄機器７０及び第２洗浄機器８０の動作を操作するための操作部３５（リモコン）を有していてもよい（図１参照）。操作部３５は、浴室５００内、又は浴室５００外（例えば浴室５００に隣接する脱衣所など）に設けられる。操作部３５は、制御部３０と有線又は無線により接続されている。使用者は、操作部３５に設けられたボタン（スイッチ）を操作することにより、第１洗浄機器７０及び第２洗浄機器８０の動作を開始／停止させたり、動作の設定を変更したりすることができる。具体的には、使用者が操作部３５を操作すると、その操作に応じた信号が制御部３０に送信される。制御部３０は、操作部３５からの信号に基づいて、第１洗浄機器７０及び第２洗浄機器８０のそれぞれに信号（指令）を送信する。
【００３４】
操作部３５は、第１洗浄機器７０を作動させる第１スイッチ３５ａと、第２洗浄機器８０を作動させる第２スイッチ３５ｂと、を有する。使用者が第１スイッチ３５ａを操作すると、第１洗浄機器７０による洗浄動作が開始する。また、使用者が第２スイッチ３５ｂを操作すると、第２洗浄機器８０による洗浄動作が開始される。
【００３５】
図３は、実施形態に係る浴室システムの動作を例示するフローチャートである。  
使用者が操作部３５の第１スイッチ３５ａを押すと（ステップＳ１０１）、第１洗浄機器７０の洗浄動作が開始される（ステップＳ１０２）。
【００３６】
その後、第１洗浄機器７０の洗浄動作中に、使用者が第２スイッチ３５ｂを押すと（ステップＳ１０３：Ｙｅｓ）、第２洗浄機器８０の洗浄動作が開始される（ステップＳ１０４）。これにより、第１洗浄機器７０による洗浄動作と、第２洗浄機器８０による洗浄動作とが同時に実行されることとなる。
【００３７】
第１洗浄機器７０の洗浄動作と、第２洗浄機器８０の洗浄動作と、が同時に行われる場合においては、制御部３０は、流量（瞬間流量（ｃｃ／ｓ））の設定を行う（ステップＳ１０５）。具体的には、制御部３０は、第１洗浄機器７０から吐水される洗浄水の流量（第１洗浄流量）と、第２洗浄機器８０から吐水される洗浄水の流量（第２洗浄流量）と、の合計値が所定値（所定流量）以下となるように、第１制御弁７３及び第２制御弁８３の少なくとも一方を制御する。
【００３８】
その後、第１洗浄機器７０による洗浄、第２洗浄機器８０による洗浄が終了する（ステップＳ１０６：Ｙｅｓ、ステップＳ１０７：Ｙｅｓ）。
【００３９】
一方、第１洗浄機器７０の洗浄動作中に、第２スイッチ３５ｂが押されなかった場合（ステップＳ１０３：Ｎｏ）、第２洗浄機器８０による洗浄が実行されることなく、第１洗浄機器７０による洗浄が終了する（ステップＳ１０８：Ｙｅｓ）。
【００４０】
図４（ａ）〜図４（ｄ）は、実施形態に係る浴室システムの動作を例示するタイミングチャートである。  
タイミングチャートにおいて、横軸は時間ｔを表す。図４（ａ）は、浴室システム１００の洗浄動作のＯＮ／ＯＦＦを表す。洗浄動作がＯＮのときは、第１洗浄機器７０及び第２洗浄機器８０の少なくともいずれかが、洗浄動作（吐水動作）を行っている。洗浄動作がＯＦＦのときは、第１洗浄機器７０及び第２洗浄機器８０の両方が洗浄動作を行っていない。図４（ｂ）は、第１洗浄機器７０が、洗浄動作において吐水する洗浄水の流量を表す。図４（ｃ）は、第２洗浄機器８０が、洗浄動作において吐水する洗浄水の流量を表す。図４（ｄ）は、第１洗浄機器７０及び第２洗浄機器８０の総流量、すなわち、第１洗浄機器７０から吐水される洗浄水の流量と、第２洗浄機器８０から吐水される洗浄水の流量と、の合計値を表す。
【００４１】
なお、タイミングチャートでは、説明の便宜上、流量を大きい順に「３」、「２」、「１」の３段階で表示し、「０」は吐水が行われていないことを示す。ただし、実施形態において、流量は３段階でなくてもよい。
【００４２】
時刻Ｔ１において、例えば使用者が第１スイッチ３５ａを押し、図４（ａ）に示すように洗浄動作がＯＮとなる。すなわち、図４（ｂ）に示すように、時刻Ｔ１において、第１洗浄機器７０による洗浄動作が開始し、第１洗浄機器７０からの洗浄水の吐水が開始する。
【００４３】
時刻Ｔ１の後の時刻Ｔ２までは、第１洗浄機器７０のみが洗浄動作を実行する。すなわち、時刻Ｔ１から時刻Ｔ２まで第２洗浄機器８０は、洗浄動作を実行していない。時刻Ｔ１から時刻Ｔ２までの間において、第１洗浄機器７０が吐水する洗浄水の流量は、例えば「２」である。したがって、図４（ｄ）に示すように総流量は「２」である。
【００４４】
例えば、使用者が時刻Ｔ２において第２スイッチ３５ｂを押し、図４（ｃ）に示すように、第２洗浄機器８０による洗浄動作が開始し、第２洗浄機器８０からの洗浄水の吐水が開始する。
【００４５】
時刻Ｔ２の後の時刻Ｔ３までは、第１洗浄機器７０及び第２洗浄機器８０は、同時に洗浄水を吐水している。このとき制御部３０は、図４（ｄ）に示す総流量が所定値以下となるように、第１制御弁７３及び第２制御弁８３を制御する。
【００４６】
この例では、総流量の所定値は「３」である。例えば、制御部３０は、時刻Ｔ２から時刻Ｔ３までの期間においては、時刻Ｔ１から時刻Ｔ２までの期間に比べて、第１洗浄機器７０が吐水する洗浄水の流量を小さくする。時刻Ｔ２から時刻Ｔ３までの間において、第１洗浄機器７０が吐水する洗浄水の流量は、「１」である。また、時刻Ｔ２から時刻Ｔ３までの間において、第２洗浄機器８０が吐水する洗浄水の流量は、「２」である。したがって、図４（ｄ）に示すように総流量は「３」である。
【００４７】
時刻Ｔ３において、第１洗浄機器７０の吐水動作及び第２洗浄機器８０の吐水動作が終了し、浴室システムの洗浄動作がＯＦＦとなる。
【００４８】
以上説明したように、実施形態においては、制御部３０は、第１洗浄機器７０及び第２洗浄機器８０の少なくとも一方が吐水を行っているときは、総流量（第１洗浄機器７０から吐水される洗浄水の流量と、第２洗浄機器８０から吐水される洗浄水の流量と、の合計）が所定値以下となるように第１制御弁７３及び第２制御弁８３の少なくとも一方を制御する。
【００４９】
例えば、制御部３０は、第１洗浄機器７０が吐水を行っているときは、総流量が所定値以下となるように、第２制御弁８３を制御し、第２洗浄機器８０が吐水を行っているときは、総流量が所定値以下となるように第１制御弁７３を制御する。
【００５０】
より具体的には、例えば、制御部３０は、第１洗浄機器７０が吐水を行っているときに、第２洗浄機器８０が吐水を開始すると、総流量が所定値以下となるように、第１制御弁７３を制御して、第１洗浄機器７０から吐水される洗浄水の流量を小さくする。また、例えば、制御部３０は、第２洗浄機器８０が吐水を行っているときに、第１洗浄機器７０が吐水を開始すると、総流量が所定値以下となるように、第２制御弁８３を制御して、第２洗浄機器８０から吐水される洗浄水の流量を小さくする。
【００５１】
２つの洗浄機器が同一の給水源から給水される場合、２つの洗浄機器が同時に洗浄水を吐水すると、一方又は両方の洗浄機器から吐水される洗浄水の水圧が低下する恐れがある。洗浄水の水圧の低下は、洗浄機器の洗浄性能の低下を招く可能性がある。例えば、洗浄機器から吐水される洗浄水の飛距離が短くなり、所定の範囲に吐水が行えない恐れがある。また、例えば、浴室内の汚れを洗浄水によって押し流すことが困難になる恐れがある。
【００５２】
これに対して、実施形態においては、第１洗浄機器７０及び第２洗浄機器８０の一方が吐水を行っているときに、総流量を所定値以下とすることにより、第１洗浄機器７０及び第２洗浄機器８０の一方又は両方から吐水される洗浄水の水圧が低下することを抑制できる。すなわち、所望の洗浄性能が発揮できないほど水圧が低くなり過ぎることを抑制でき、適切な洗浄性能を維持することができる。
また、第１洗浄機器７０及び第２洗浄機器８０の両方が同時に吐水を行うとき、第１洗浄機器７０及び第２洗浄機器８０の一方又は両方は、洗浄性能が得られる範囲の流量で吐水を行う。
【００５３】
なお、総流量の所定値は、総流量と水圧（第１洗浄機器７０の洗浄水の水圧、及び第２洗浄機器８０の洗浄水の水圧）との関係から、所望の洗浄性能が得られる範囲に、適宜定めればよい。  
例えば、総流量の所定値は、単独で洗浄動作を行う第１洗浄機器７０から吐水される洗浄水の流量の最大値と、単独で洗浄動作を行う第２洗浄機器８０から吐水される洗浄水の流量の最大値と、の合計以下である。つまり、第１洗浄機器７０及び第２洗浄機器８０は、単独で洗浄動作を行うモードと２つの機器が連動するモードと、の２つのモードを実行することができ、連動モードのときは、２つの機器の洗浄流量が所定流量以下となるように制御される。
【００５４】
図５（ａ）〜図５（ｃ）は、実施形態に係る浴室システムの動作を例示するタイミングチャートである。  
図５（ａ）は、第１洗浄機器７０が、洗浄動作において吐水する洗浄水の流量を表す。図５（ｂ）は、第２洗浄機器８０が、洗浄動作において吐水する洗浄水の流量を表す。図５（ｃ）は、第１洗浄機器７０及び第２洗浄機器８０の総流量を表す。
【００５５】
図５（ａ）に示すように、時刻Ｔ１１において、第１洗浄機器７０による洗浄動作が開始する。この例では、第１洗浄機器７０は、２回の吐水動作を行う。すなわち、第１洗浄機器７０は、時刻Ｔ１１から時刻Ｔ１５までの間に１回目の吐水動作を行い、その後、時刻Ｔ１７から時刻Ｔ２１までの間に２回目の吐水動作を行っている。
【００５６】
図５（ｂ）に示すように、時刻Ｔ１４において、第２洗浄機器８０による洗浄動作が開始し、第２洗浄機器８０からの洗浄水の吐水が開始する。第２洗浄機器８０は、時刻Ｔ１４から時刻Ｔ１８までの間に吐水動作を行う。
【００５７】
第１洗浄機器７０及び第２洗浄機器８０のそれぞれの１回の吐水動作（吐水を開始してから、次に止水するまで）は、初期と中期と後期とを有する。中期は、吐水動作の開始時刻と終了時刻との中心の時刻を含む期間である。初期は、中期よりも前の期間であり、後期は、中期よりも後の期間である。
【００５８】
例えば、第１洗浄機器７０の１回目の吐水動作は、時刻Ｔ１１から時刻Ｔ１２までの初期と、時刻Ｔ１２から時刻Ｔ１４までの中期と、時刻Ｔ１４から時刻Ｔ１５までの後期と、を有する。中期は、吐水動作が始まる時刻Ｔ１１と、吐水動作が終了する時刻Ｔ１５と、の中心の時刻Ｔ１３を含む。
【００５９】
また、第１洗浄機器７０の２回目の吐水動作は、時刻Ｔ１７から時刻Ｔ１８までの初期と、時刻Ｔ１８から時刻Ｔ２０までの中期と、時刻Ｔ２０から時刻Ｔ２１までの後期と、を有する。中期は、吐水動作が始まる時刻Ｔ１７と、吐水動作が終了する時刻Ｔ２１と、の中心の時刻Ｔ１９を含む。
【００６０】
また、第２洗浄機器８０の吐水動作は、時刻Ｔ１４から時刻Ｔ１５までの初期と、時刻Ｔ１５から時刻Ｔ１７までの中期と、時刻Ｔ１７から時刻Ｔ１８までの後期と、を有する。中期は、吐水動作が始まる時刻Ｔ１４と、吐水動作が終了する時刻Ｔ１８と、の中心の時刻Ｔ１６を含む。
【００６１】
第１洗浄機器７０の１回目の吐水動作の後期は、第２洗浄機器８０の吐水動作の初期と重なり、第２洗浄機器８０の吐水動作の中期と重ならない。また、第１洗浄機器７０の１回目の吐水動作の中期は、第２洗浄機器８０の吐水動作の初期と重ならない。
【００６２】
第２洗浄機器８０の吐水動作の後期は、第１洗浄機器７０の２回目の吐水動作の初期と重なり、第１洗浄機器７０の２回目の吐水動作の中期と重ならない。また、第２洗浄機器８０の吐水動作の中期は、第１洗浄機器７０の２回目の吐水動作の初期と重ならない。
【００６３】
このように、一方の洗浄機器の吐水動作の中期は、他方の洗浄機器の吐水動作と重ならない。これにより、各洗浄機器の吐水動作の中期において、洗浄水の水圧が低下することを抑制することができる。また、一方の洗浄機器の吐水動作の後期と、他方の洗浄機器の吐水動作の初期と、が重なることにより、全体の洗浄時間を短縮することができる。したがって、中期において洗浄性能を維持しつつ、全体の洗浄時間を短縮することができる。また、一方の洗浄機器の吐水動作の後期と、他方の洗浄機器の吐水動作の初期と、が重なることにより、ウォーターハンマーの発生を抑制することができる。
【００６４】
また、図５（ｃ）に示すように、この例においても、制御部３０は、第１洗浄機器７０及び第２洗浄機器８０の少なくとも一方が吐水を行っているときは、総流量が「３」以下となるように、第１制御弁７３及び第２制御弁８３を制御している。例えば、図５（ａ）に示すように、時刻Ｔ１４から時刻Ｔ１５においては、第１洗浄機器７０の流量は、時刻Ｔ１１から時刻Ｔ１４までに比べて小さくされている。また、図５（ｂ）に示すように、時刻Ｔ１７から時刻Ｔ１８においては、第２洗浄機器８０の流量は、時刻Ｔ１５から時刻Ｔ１７までに比べて小さくされている。これにより、各洗浄機器の初期や後期においても、洗浄水の水圧が低下することを抑制することができる。
【００６５】
図６は、実施形態に係る浴室システムの動作を例示するフローチャートである。  
使用者によって操作部３５の第１スイッチ３５ａが押された後（ステップＳ２０１：Ｙｅｓ）、所定時間が経過する前（ステップＳ２０３：Ｎｏ）に、操作部３５の第２スイッチ３５ｂが押された場合（ステップＳ２０２：Ｙｅｓ）、制御部３０は、連動モードを実行する（ステップＳ２０４）。連動モードは、第１洗浄機器７０の吐水動作と、第２洗浄機器８０の吐水動作と、を連動させる。例えば、連動モードは、第１洗浄機器７０の洗浄動作と、第２洗浄機器８０の洗浄動作と、を連動させる掃除連動モードである。連動モードの例については、図１２に関して後述する。また、ステップＳ２０３における所定時間は、任意であるが、例えば３０秒〜１分程度である。
【００６６】
連動モードの実行中において、制御部３０は、第１洗浄機器７０及び第２洗浄機器８０の少なくとも一方が吐水を行っているときは、総流量が所定値以下となるように第１制御弁７３及び第２制御弁８３の少なくとも一方を制御する（ステップＳ２０５）。
【００６７】
その後、第１洗浄機器７０による洗浄及び第２洗浄機器８０による洗浄が終了し、連動モードが終了する（ステップＳ２０６：Ｙｅｓ）。
【００６８】
一方、使用者によって操作部３５の第１スイッチ３５ａが押された後（ステップＳ２０１：Ｙｅｓ）、操作部３５の第２スイッチ３５ｂが押されることなく（ステップＳ２０２：Ｎｏ）、所定時間が経過した場合（ステップＳ２０３：Ｙｅｓ）、第２洗浄機器８０による洗浄が実行されることなく、第１洗浄機器７０による洗浄が開始され、終了する（ステップＳ２０７、ステップＳ２０８：Ｙｅｓ）。
【００６９】
このように、制御部３０は、第１スイッチ３５ａ及び第２スイッチ３５ｂの一方が操作されてから所定時間以内に、第１スイッチ及び第２スイッチの他方が操作された場合において、第１洗浄機器７０及び第２洗浄機器８０の一方が吐水を行っているときは、総流量が所定値以下となるように、第１制御弁７３及び第２制御弁８３の少なくとも一方を制御する。これにより、第１スイッチ３５ａ及び第２スイッチ３５ｂが別々に操作された場合であっても、第１洗浄機器７０及び第２洗浄機器８０の一方又は両方から吐水される洗浄水の水圧が低下することを抑制できる。
【００７０】
なお、例えば、第１スイッチ３５ａ及び第２スイッチ３５ｂの一方が操作されてから所定時間経過後であって、第１洗浄機器７０及び第２洗浄機器８０の一方の吐水中に、第１スイッチ３５ａ及び第２スイッチ３５ｂの他方が操作された場合は、制御部３０は、連動モードを実行しない。例えば、ステップＳ２０８において、第１洗浄機器７０による洗浄が完了する前（ステップＳ２０８：Ｎｏ）に、第２スイッチ３５ｂが押された場合、制御部３０は、第２洗浄機器８０による洗浄動作を開始してもよいが、予め定められたシーケンスである連動モードを実行しない。
【００７１】
ただし、連動モードの非実行中であっても、制御部３０は、第１洗浄機器７０及び第２洗浄機器８０の少なくとも一方が吐水を行っているときは、総流量が所定値以下となるように第１制御弁７３及び第２制御弁８３の少なくとも一方を制御することが望ましい。これにより、連動モードが実行されない場合であっても、第１洗浄機器７０及び第２洗浄機器８０の一方又は両方から吐水される洗浄水の水圧が低下することを抑制できる。
【００７２】
図７を参照して、第１洗浄機器７０の一例である浴室洗浄機器について説明する。  
図７は、実施形態に係る浴室システムの洗浄機器を例示する模式図である。  
図７は、浴室５００のカウンタ５３０の近傍を側方から見た様子を示している。  
第１洗浄機器７０は、カウンタ５３０の下部に突出するノズル部１０ａを有する。ノズル部１０ａは、カウンタ５３０の下部に、洗い場床５２０から離間した位置に配置されている。例えば、ノズル部１０ａは、洗い場床５２０の横方向における中央付近に設置されている。
【００７３】
浴室５００の外部（例えば第２壁５４２の後方）には、給水管５１が設けられている。給水管５１は、図示しない水道管と接続されている。これにより、給水管５１から水道水が第１洗浄機器７０に供給される。
【００７４】
カウンタ５３０の内部（天板５３１と下カバー５３２との間）には、第１ストレーナ５３ａと、第１制御弁７３（第１電磁弁５４ａ、第２電磁弁５４ｂ）と、調圧弁５５と、バキュームブレーカ５７と、逆止弁５６と、機能水生成部２０と、第２ストレーナ５３ｂと、電動モータ１７と、が設けられている。第１ストレーナ５３ａは、給水管５１と接続されており、第１ストレーナ５３ａの下流において、水道水の流路は２つに分岐している。
【００７５】
第１ストレーナ５３ａの下流側の一方の流路は、第１電磁弁５４ａを介して、水道水（洗浄水の一例である）を直接的にノズル部１０ａに供給する。第１電磁弁５４ａを開くことで、水道水がノズル部１０ａに供給される。
【００７６】
第１ストレーナ５３ａの下流側の他方の流路には、上流側から順に、第２電磁弁５４ｂ、調圧弁５５、バキュームブレーカ５７、逆止弁５６、機能水生成部２０、第２ストレーナ５３ｂが接続されており、機能水（洗浄水の一例である）をノズル部１０ａに供給する。
【００７７】
第１電磁弁５４ａ及び第２電磁弁５４ｂは、それぞれ、水道水の流路を開く動作、及び、水道水の流路を閉じる動作、を行う。調圧弁５５は、供給される水道水の圧力を制御する。これにより、後述する機能水生成部２０に供給される水道水の流量を所望に調整することができる。機能水生成部２０に供給される水道水の流量を調整することで、ノズル部１０ａに供給される機能水の流量が調整される。第２電磁弁５４ｂを用いて水道水の流量を調整してもよい。
【００７８】
機能水は、例えば除菌（又は殺菌）の機能を有する除菌水である。機能水は、例えば、次亜塩素酸を含む。この例では、機能水生成部２０は、陽極と陰極とを有する電解室（電解槽）である。機能水生成部２０は、陽極と陰極との間に電圧を印加して、それら電極の間を流れる水道水を電気分解することで、低濃度の次亜塩素酸を生成する。水道水は、塩化物イオンを含んでいるため、その塩化物イオンを電気分解することによって、次亜塩素酸が生成される。
【００７９】
なお、機能水は、次亜塩素酸を含むものには限定されない。例えば、機能水は、銀イオン、銅イオン、または亜鉛イオンなどの金属イオンを含む溶液、電解塩素やオゾンなどを含む溶液、酸性水、または、アルカリ水などでもよい。機能水生成部２０は電解槽に限らず、除菌水を生成可能な任意の構成でよい。
【００８０】
ストレーナ５３ａ、５３ｂ、電磁弁５４ａ、５４ｂ、調圧弁５５、バキュームブレーカ５７、逆止弁５６、機能水生成部２０及び電動モータ１７の少なくとも一部が、カウンタ５３０の外部や浴室５００の外部に設けられることも可能である。
【００８１】
第１電磁弁５４ａ、第２電磁弁５４ｂ、調圧弁５５、及び機能水生成部２０は、制御部３０によって適宜に制御される。これにより、ノズル部１０ａからの水道水の散水と、ノズル部１０ａからの機能水の散水と、を互いに独立に制御できる。
【００８２】
具体的には、第１電磁弁５４ａ及び第２電磁弁５４ｂは、制御部３０からの信号に基づいて、水道水の流路の開閉を行う。これにより、下流側に供給される水道水の流量が制御される。また、機能水生成部２０は、制御部３０からの信号に基づいて、電解室のＯＮ／ＯＦＦ等を切り替える。このようにして制御部３０は、機能水における各種構成成分の濃度、吐水される洗浄水の流量（単位時間当たりの流量）、吐水される洗浄水の総水量、を制御することができる。
【００８３】
また、ノズル部１０ａには、吐水口７１（開口）が設けられている。ノズル部１０ａは、上流から供給された洗浄水（水道水や機能水）を、水圧によって吐水口７１から浴室５００の洗い場床５２０上へ吐水する。これにより、洗い場床５２０上の汚れ（例えば、人体からの皮脂、垢、髪の毛など）を排水口５２１へ洗い流したり、洗い場床５２０上を除菌することができる。ノズル部１０ａから吐水される洗浄水は、例えば霧状である。
【００８４】
ノズル部１０ａの位置姿勢は、洗浄水が吐水される洗い場床５２０上の領域を変えるよう、変動することができる。具体的には、ノズル部１０ａは、電動モータ１７によって回転駆動される。電動モータ１７は、例えばステッピングモータからなる。
【００８５】
電動モータ１７は、制御部３０によって制御される。制御部３０からの信号に基づいて電動モータ１７が制御されることにより、ノズル部１０ａの回転角度や回転速度が変化する。
【００８６】
図８を参照して、第２洗浄機器８０の一例である浴槽洗浄機器について説明する。  
図８は、実施形態に係る浴室システムの浴槽洗浄機器を例示する模式図である。  
第２洗浄機器８０は、流量検知装置６０４、水量制御装置６０５、第２制御弁８３（電磁弁６０６）、洗浄ノズル６０１、給水路６０８、排水栓駆動用モータ６２４など、を有する。
【００８７】
洗浄ノズル６０１は、給水路６０８を介して、給水管５１と接続されている。これにより、給水管５１から、給水路６０８を通った水道水が洗浄ノズル６０１に供給される。
【００８８】
給水路６０８には、上流側から順に、流量検知装置６０４、水量制御装置６０５、電磁弁６０６が設けられている。電磁弁６０６は、給水路６０８を開く動作、及び、給水路６０８を閉じる動作を行う。電磁弁６０６が開くことで、水道水が洗浄ノズル６０１に供給され、電磁弁６０６が閉じることで、洗浄ノズル６０１への給水が停止する。
【００８９】
洗浄ノズル６０１は、浴槽５１０に設けられている。洗浄ノズル６０１の吐水口８１は、例えば、浴槽５１０の内壁に露出している。洗浄ノズル６０１は、上流から供給された洗浄水（水道水）を、水圧によって吐水口８１から浴槽５１０内へ吐水する。これにより、浴槽５１０内の汚れを、浴槽５１０の排水口５１２へ洗い流すことができる。洗浄ノズル６０１から吐水される洗浄水は、例えば霧状である。
【００９０】
排水栓駆動用モータ６２４は、ワイヤーケーブル６２１を介して、スラストロック機構部６２３を作動させることができる。スラストロック機構部６２３が作動することで、排水栓６２２を上下に動かすことができ、排水口５１２を開閉することができる。なお、使用者は、浴槽５１０のリムなどに設けられた手動スイッチ６２０を操作することによっても、スラストロック機構部６２３を作動させ、排水口５１２を開閉することができる。
【００９１】
流量検知装置６０４、水量制御装置６０５、電磁弁６０６、排水栓駆動用モータ６２４は、制御部３０と有線又は無線により接続されており、制御部３０によって適宜に制御される。すなわち、電磁弁６０６は、制御部３０からの信号に基づいて、給水路６０８の開閉を行う。これにより、洗浄ノズル６０１の吐水と止水とが切り替えられる。また、排水栓駆動用モータ６２４は、制御部３０からの信号に基づいて、排水口５１２の開閉を行う
なお、第２洗浄機器８０は、水道水だけでなく、第１洗浄機器７０と同様の構成により機能水を吐水してもよい。また、第２洗浄機器８０は、内部に洗剤タンクやポンプを有し、洗浄ノズル６０１から浴槽５１０内に洗剤を散布してもよい。
【００９２】
図９は、実施形態に係る浴室システムの操作部を例示する斜視図である。  
操作部３５は、第１スイッチ３５ａ（床洗浄スイッチ）、第２スイッチ３５ｂ（浴槽洗浄スイッチ）、及び第３スイッチ３５ｃ（掃除連動スイッチ）などの複数のスイッチ（ボタン）を有する。
【００９３】
使用者が第１スイッチ３５ａを操作すると、制御部３０は、その操作に応じた信号を受信し、第１洗浄機器７０に洗浄動作（吐水動作）を実行させる。また、使用者が第２スイッチ３５ｂを操作すると、制御部３０は、その操作に応じた信号を受信し、第２洗浄機器８０に洗浄動作（吐水動作）を実行させる。
【００９４】
使用者が、第３スイッチ３５ｃを操作すると、制御部３０は、その操作に応じた信号を受信し、第１洗浄機器７０の洗浄動作と、第２洗浄機器８０の洗浄動作と、を連動させる掃除連動モードを実行する。
【００９５】
第１スイッチ３５ａが操作された場合、第１洗浄機器７０は、単独で洗浄動作を実行し、第２スイッチ３５ｂが操作された場合、第２洗浄機器８０は、単独で洗浄動作を実行する。すなわち、第１スイッチ３５ａによる第１洗浄機器７０の洗浄動作と、第２スイッチ３５ｂによる第２洗浄機器８０の洗浄動作とは、互いに独立しており、別々に実行される。ただし、図６に関して説明したように、第１スイッチ３５ａと第２スイッチ３５ｂとが所定時間以内に操作された場合には、第１洗浄機器７０の洗浄動作と第２洗浄機器８０の洗浄動作とを連動させてもよい。
【００９６】
図１０（ａ）及び図１０（ｂ）は、実施形態に係る浴室システムの第２洗浄機器の動作を例示するタイミングチャートである。  
図１０（ａ）は、使用者が第２スイッチ３５ｂ（浴槽洗浄スイッチ）を操作したタイミングを表す。図１０（ｂ）は、第２スイッチ３５ｂの操作によって、第２洗浄機器８０（浴槽洗浄機器）が単独で洗浄動作を行う場合を表す。すなわち、このとき、第１洗浄機器７０による洗浄動作は実行されていない。
【００９７】
図１０（ｂ）に示すＯＮは洗浄機器が吐水していることを示し、ＯＦＦは洗浄機器が吐水していないことを示す。後述の図１１（ｂ）、図１２（ｂ）及び図１２（ｃ）においても同様である。
【００９８】
図１０（ａ）に示すように、時刻Ｔ３１において、使用者が浴槽洗浄スイッチを操作すると、第２洗浄機器８０の洗浄動作が開始する。第２洗浄機器８０の洗浄動作において、制御部３０は、まず、排水栓駆動用モータ６２４を作動させ、浴槽５１０の排水口を開き、浴槽５１０に残っている水を排水する。
【００９９】
浴槽５１０からの排水が完了すると、時刻Ｔ３２において、制御部３０は、第２洗浄機器８０に浴槽５１０の洗浄（浴槽５１０への吐水動作）を開始させる。その後、時刻Ｔ３３において、吐水動作が終了し、第２洗浄機器８０の洗浄動作が終了する。
【０１００】
図１１（ａ）及び図１１（ｂ）は、実施形態に係る浴室システムの第１洗浄機器の動作を例示するタイミングチャートである。  
図１１（ａ）は、使用者が第１スイッチ３５ａ（床洗浄スイッチ）を操作したタイミングを表す。図１１（ｂ）は、第１スイッチ３５ａの操作によって、第１洗浄機器７０（床洗浄装置）が単独で洗浄動作を行う場合を表す。すなわち、このとき、第２洗浄機器８０による洗浄動作は実行されていない。
【０１０１】
図１１（ｂ）に示すように、時刻Ｔ４１において、使用者が床洗浄スイッチを操作すると、第１洗浄機器７０の洗浄動作が開始する。制御部３０は、まず、第１洗浄機器１０に洗い場床５２０の洗浄（洗い場床５２０への吐水動作）を開始させる。すなわち、制御部３０は、時刻Ｔ４１において、第１洗浄機器７０に第１洗浄（第１の吐水動作）を実行させる。時刻Ｔ４１の後の時刻Ｔ４２において、第１洗浄が終了すると、第１洗浄機器７０は所定時間、吐水動作を行わずに待機する。
【０１０２】
時刻Ｔ４２から所定時間が経過すると、制御部３０は、第１洗浄機器７０に洗い場床５２０への吐水動作を開始させる。すなわち、制御部３０は、時刻Ｔ４３において、第１洗浄機器７０に第２洗浄（第２の吐水動作）を実行させる。その後、時刻Ｔ４４において、第２洗浄が終了し、第１洗浄機器７０の洗浄動作が終了する。
【０１０３】
例えば、第１洗浄機器７０は、第２洗浄において機能水を吐水する。待機時間を設けることにより、第１洗浄において吐水された洗い場床５２０上の水道水によって、機能水が薄められることを抑制し、機能水の濃度の低下を抑制することができる。
【０１０４】
図１２を参照しては、掃除連動モードの一例について説明する。  
図１２（ａ）〜図１２（ｃ）は、実施形態に係る浴室システムの動作を例示するタイミングチャートである。  
図１２（ａ）は、使用者が操作部３５の第３スイッチ３５ｃ（掃除連動スイッチ）を操作したタイミングを表す。図１２（ｂ）は、第１洗浄機器７０による洗浄動作を表す。図１２（ｃ）は、第２洗浄機器８０による洗浄動作を表す。
【０１０５】
図１２（ａ）に示すように、時刻Ｔ５１において、使用者が操作部３５の掃除連動スイッチを操作する。すると、制御部３０は、掃除連動モードを開始する。掃除連動モード（連動モード）は、第１所定範囲（例えば洗い場床５２０）の排水中に第２所定範囲（例えば浴槽）への吐水を行い、第２所定範囲の排水中に第１所定範囲への吐水を行う。具体的には、制御部３０は、図１２（ｂ）に示すように、時刻Ｔ５１において、第１洗浄機器７０に第１洗浄（第１の吐水動作）を実行させる。同時に、制御部３０は、図１２（ｃ）に示すように、排水栓駆動用モータ６２４を作動させ、浴槽５１０に残っている水を排水する。  
また、換言すると、掃除連動モード（連動モード）は、第１所定範囲（例えば洗い場床５２０）へ吐水を行っていないときに、第２所定範囲（例えば浴槽）への吐水を行い、第２所定範囲へ吐水を行っていないときに第１所定範囲への吐水を行う。
【０１０６】
時刻Ｔ５１の後の時刻Ｔ５２において、第１洗浄機器７０の第１洗浄が終了する。また、時刻Ｔ５２の後の時刻Ｔ５３において、浴槽５１０の排水が終了し、制御部３０は、第２洗浄機器８０に浴槽５１０の洗浄（吐水動作）を開始させる。
【０１０７】
時刻Ｔ５２から時刻Ｔ５５までの間、第１洗浄機器７０は、吐水動作を行わずに待機している。この間に、第１洗浄によって洗い場床５２０上に吐水された洗浄水が排水される。また、この間に、第２洗浄機器８０による浴槽洗浄が終了する。具体的には、浴槽洗浄は、時刻Ｔ５５の前の時刻Ｔ５４に終了する。そして、時刻Ｔ５５において、第１洗浄機器７０は、第２洗浄（第２の吐水動作）を開始する。
【０１０８】
時刻Ｔ５５の後の時刻Ｔ５６において、第１洗浄機器７０の第２洗浄が終了し、掃除連動モードが終了する。
【０１０９】
このように、連動モード（掃除連動モード）は、第１洗浄機器７０による洗浄動作（第１洗浄、待機、及び第２洗浄）と、第２洗浄機器８０による洗浄動作（浴槽排水及び浴槽洗浄）とを同時に実行することで、全体の洗浄時間を短縮することができる。また、使用者は、第１スイッチ３５ａ及び第２スイッチ３５ｂを別々に操作しなくても、第３スイッチ３５ｃを操作することで浴室全体の洗浄を行うことができるため、使い勝手がよい。
【０１１０】
図１２（ｂ）及び図１２（ｃ）に示した例においては、制御部３０は、第１洗浄機器７０が吐水を行っている間においては、第２制御弁８３を閉として第２洗浄機器８０からの吐水を停止し、第２洗浄機器８０が吐水を行っている間においては、第１制御弁７３を閉として第１洗浄機器７０からの吐水を停止している。これにより、制御部３０は、第１洗浄機器７０から吐水される洗浄水の流量と、第２洗浄機器８０から吐水される洗浄水の流量と、の合計を所定値以下としている。これにより、一方の洗浄機器から吐水される洗浄水の水圧が低下することをより確実に抑制することができる。２つの洗浄機器を連動させた場合においても、洗浄性能を維持することができる。
【０１１１】
また、第１制御弁７３を閉じるタイミングと第２制御弁８３の開くタイミングとは、同時であってもよい。第１制御弁７３の開くタイミングと第２制御弁８３の閉じるタイミングとは、同時であってもよい。これにより、ウォーターハンマーの発生を抑制したり、全体の洗浄時間をより短縮したりすることができる。
【０１１２】
また、掃除連動モードにおいても、図４や図５に関して説明した例と同様に、第１洗浄機器７０が吐水する時間帯の一部と、第２洗浄機器８０が吐水する時間帯の一部と、が重なってもよい。すなわち、第１洗浄機器７０と第２洗浄機器８０とが同時に吐水してもよい。また、図４や図５に関して説明した例においても、第１洗浄機器７０が吐水を行っている間においては、第２制御弁８３を閉とし、第２洗浄機器８０が吐水を行っている間においては、第１制御弁７３を閉としてもよい。
【０１１３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室システムが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１４】
１０ 第１洗浄機器、  １０ａ ノズル部、  １７ 電動モータ、  ２０ 機能水生成部、  ３０ 制御部、  ３５ 操作部、  ３５ａ 第１スイッチ、  ３５ｂ 第２スイッチ、  ３５ｃ 第３スイッチ、  ５０ 給水源、  ５１ 給水管、  ５３ａ 第１ストレーナ、  ５３ｂ 第２ストレーナ、  ５４ａ 第１電磁弁、  ５４ｂ 第２電磁弁、  ５５ 調圧弁、  ５６ 逆止弁、  ５７ バキュームブレーカ、  ７０ 第１洗浄機器、  ７１ 吐水口、  ７３ 第１制御弁、  ７５ 流路、  ８０ 第２洗浄機器、  ８１ 吐水口、  ８３ 第２制御弁、  ８５ 流路、  １００ 浴室システム、  ５００ 浴室、  ５１０ 浴槽、  ５１２ 排水口、  ５２０ 洗い場床、  ５２１ 排水口、  ５３０ カウンタ、  ５４１ 第１壁、  ５４２ 第２壁、  ５４３ 第３壁、  ５４４ 第４壁、  ５４５ 天井、  ６０１ 洗浄ノズル、  ６０４ 流量検知装置、  ６０５ 水量制御装置、  ６０６ 電磁弁、  ６０８ 給水路、  ６２０ 手動スイッチ、  ６２１ ワイヤーケーブル、  ６２２ 排水栓、  ６２３ スラストロック機構部、  ６２４ 排水栓駆動用モータ
【図１】
2019154723.tif 000003
【図２】
2019154723.tif 000004
【図３】
2019154723.tif 000005
【図４】
2019154723.tif 000006
【図５】
2019154723.tif 000007
【図６】
2019154723.tif 000008
【図７】
2019154723.tif 000009
【図８】
2019154723.tif 000010
【図９】
2019154723.tif 000011
【図１０】
2019154723.tif 000012
【図１１】
2019154723.tif 000013
【図１２】
2019154723.tif 000014